(57)【要約】      （修正有）【課題】断面の大きさが異なる逆Ｌ型六角レンチを保持して、その作用部の長さを伸張可能とするレンチハンドルを提供する。【解決手段】スチール製の本体部２０を備えたレンチホルダー１０は本体部２０内に軸方向に延在するように孔部２２が貫通形成されており、本体部の外表面には孔部２２に連通するように開口部３０が刻設されており、開口部の幅は本体部２０の一方端側に向かうに従い段階的に縮減されており、開口部にＬ型六角レンチ４０の作用部の下側の断面と略合同に形成されしかも本体部２０の他方端側に向かうに従い段階的に拡大される断面を有す押え体で構成する。【選択図】      図２
2005001094.tif 000002
【特許請求の範囲】
【請求項１】
本体部と、前記本体部の内部に軸方向に延在するように形成され、前記本体部の一端部及び他端部に夫々形成された一方端開口穴及び他方端開口穴に外部と連通する孔部と、前記孔部と連通するように前記本体部の外表面に刻設された開口部と、前記開口部からＬ型六角レンチの作用部が遊嵌的に挿入されて前記本体部の一方端開口部から外部に延出され且つ前記Ｌ型六角レンチの基部が前記開口部の一方端側の縁部と係合した後、前記他方端開口穴から挿入されて、前記Ｌ型六角レンチの前記作用部を前記孔部の内表面の上側に押圧すると共に前記Ｌ型六角レンチの基部と前記開口部の内縁の一方端部との係合を保持せしめる押え体とを備える、レンチホルダー。
【請求項２】
前記開口部の幅は、前記本体部の一方端側に向かうに従い、段階的に縮減されている、請求項１記載のレンチホルダー。
【請求項３】
前記押え体の断面は、前記前記Ｌ型六角レンチの前記作用部の下側の断面と略合同に形成される、請求項１記載のレンチホルダー。
【請求項４】
前記押え体の断面は、前記本体部の他方端側に向かうに従い、段階的に拡大されている、請求項３記載のレンチホルダー。
【発明の詳細な説明】
【０００１】
【発明の属する技術分野】
本発明は、レンチホルダーに関し、特に逆Ｌ字型六角レンチを伸張させた態様での使用を可能ならしめるレンチホルダーに関する。
【０００２】
【従来の技術】
逆Ｌ字型六角レンチを深い穴の底や周囲を構造物ないしは構成部品で囲まれた狭小な部位にセットされたの固着具の緩緊作業を容易に行うために、逆Ｌ字型六角レンチをホルダーに連結して、当該逆Ｌ字型六角レンチを伸張させた態様での使用が可能となっている。具体的には、レンチホルダーの先端部は、固定部と可動部とから構成されており、逆Ｌ字型六角レンチの短辺部の半分を固定部の溝に嵌着した状態で、可動部の溝に他の半分を嵌着する態様で、固定部と可動部とを連結し、ネジ固定すれば、ホルダーの先端部に逆Ｌ字型六角レンチの短辺部（基部）を、軸芯を横切る態様でクランプして、逆Ｌ字型六角レンチの長辺部（作用部）の長さが、ホルダーの長さ分だけ伸張されるようになっている（例えば、特許文献１参照）。
【０００３】
【特許文献１】
米国特許第２，８５１，９１５号公報  （第１〜２頁、図１〜７）
【０００４】
【発明が解決しようとする課題】
しかしながら、上記したレンチホルダーにおいては、逆Ｌ字型六角レンチの短辺部（基部）の軸芯を横切る態様でクランプする前提としての、固定部の溝及び可動部の溝は、単一の六角断面しか構成していないので、断面が一定の逆Ｌ字型六角レンチしかクランプできなかった。つまり、異なる断面の逆Ｌ字型六角レンチをクランプできず、実用的ではなかった。
【０００５】
それ故に、本発明は、かような不具合が惹起されないレンチホルダーを提供することを、その技術的課題とする。
【０００６】
【課題を解決するための手段】
上記した課題を解決するために講じた技術的手段は、「本体部と、前記本体部の内部に軸方向に延在するように形成され、前記本体部の一端部及び他端部に夫々形成された一方端開口穴及び他方端開口穴に外部と連通する孔部と、前記孔部と連通するように前記本体部の外表面に刻設された開口部と、前記開口部からＬ型六角レンチの作用部が遊嵌的に挿入されて前記本体部の一方端開口部から外部に延出され且つ前記Ｌ型六角レンチの基部が前記開口部の一方端側の縁部と係合した後、前記他方端開口穴から挿入されて、前記Ｌ型六角レンチの前記作用部を前記孔部の内表面の上側に押圧すると共に前記Ｌ型六角レンチの基部と前記開口部の内縁の一方端部との係合を保持せしめる押え体とを備える、レンチホルダー」を構成したことである。
【０００７】
【発明の実施の形態】
以下、添付図面に依拠して、本発明にかかるレンチホルダーの一実施形態について説明する。
【０００８】
図１〜図４において、レンチホルダー１０は、スチール製の本体部２０を備える。しかして、本体部２０内には、軸方向に延在するように孔部２２が貫通形成されており、孔部２２は、本体部２０の一端部及び他端部に夫々形成された一方端開口穴２４及び他方端開口穴２６を介して、外部と連通する。
【０００９】
本体部２０の外表面には、軸方向に延在するように且つ孔部２２と連通するように、開口部３０が刻設されている。しかして、開口部３０の幅は、本体部２０の一方端側に向かうに従い、段階的に縮減されている。すなわち、開口部３０は、幅がＷ１の第１部３０１、幅がＷ２（＜Ｗ１）の第２部３０２、幅がＷ３（＜Ｗ２）の第３部３０３、幅がＷ４（＜Ｗ３）の第４部３０４及び幅がＷ５（＜Ｗ４）の第５部３０５が連続する態様で刻設されており、第１部３０１と第２部３０２との境界、第２部３０２と第３部３０３との境界、第３部３０３と第４部３０４との境界及び第４部３０４と第５部３０５との境界には、夫々、段部３０６、段部３０７、段部３０８及び段部３０９が、形成されている。
【００１０】
開口部３０からＬ型六角レンチ４０の作用部４２が遊嵌的に挿入されると、この作用部４２の先端は、孔部２０を前進して開口穴２４から突出するようになっていえる。しかして、Ｌ型六角レンチ４０の基部４４は、その幅に応じて、つまり、Ｌ型六角レンチ４０が、８ミリレンチ、６ミリレンチ、５ミリレンチ及び４ミリレンチである場合、それぞれ、段部３０７、段部３０８及び段部３０９及び第５部３０５の一方端の内縁３０５Ｘと係合して、更なる前進が規制される。従って、Ｌ型六角レンチ４０の作用部４２の長さが、実質上、伸張され、深い穴の底や周囲を構造物ないしは構成部品で囲まれた狭小な部位にセットされたの固着具の緩緊作業を容易に行うことが出来る。
【００１１】
Ｌ型六角レンチ４０の基部４４が、段部３０６、段部３０７、段部３０８及び段部３０９及び第５部３０５の一方端の内縁３０５Ｘと係合して前進が規制された後、本体部２０の他方端開口穴２６からは、押え体５０が挿入され、前進する。押さえ体５０は、孔部２０の内表面の下側とＬ型六角レンチ４０の作用部４２との間を前進しながらＬ型六角レンチ４０の作用部４２を孔部２０の内表面の上側に押圧固定し、これにより、Ｌ型六角レンチ４０の基部４４と段部３０６、段部３０７、段部３０８、段部３０９及び第５部３０５の一方端の内縁３０５Ｘの何れかとの係合を保持する。
【００１２】
押え体５０の断面は、Ｌ型六角レンチ４０の作用部４２の下側の断面と略合同に形成され、しかも本体部２０の他方端側に向かうに従い、段階的に拡大されている。すなわち、押さえ体５０には、他端部から一端部に向かうにつれて、第１溝部５０１、第２溝部５０２、第３溝部５０３及び第４溝部５０４が連続的に形成されて。しかして、第１溝部５０１、第２溝部５０２、第３溝部５０３及び第４溝部５０４は、上方開放されており、開口部３０と対向する。第１溝部５０１、第２溝部５０２、第３溝部５０３及び第４溝部５０４の断面は、８ミリレンチ、６ミリレンチ、５ミリレンチ及び４ミリレンチの下半分を回動不能に受容できる形状であって、第１溝部５０１は第２溝部５０２に対して幅広・深溝となっており、第２溝部５０２は第３溝部５０３に対して幅広・深溝となっており、第３溝部５０３は第４溝部５０４に対して幅広・深溝となっている。第１溝部５０１と第２溝部５０２との境界には壁５０６が、第２溝部５０２と第３溝部５０３との境界には壁５０７が、第３溝部５０３と第４溝部５０４との境界には壁５０８が形成されており、第４溝部５０４の一方端側は壁５０９となっている。この壁のいずれかが、Ｌ型六角レンチ４０の基部４４を他方端側に押圧して、Ｌ型六角レンチ４０の基部４４と段部３０５、段部３０６、段部３０７及び段部３０８及び第５部３０５の一方端の内縁３０９の何れかとの係合を保持する。
【００１３】
尚、図示しないが、押さえ体５０の下側にはキーが形成されており、このキーが、本体２０の底に形成された溝に移動可能に嵌入することにより、押さえ体５０の軸方向移動が確実に、廻ることなく、担保される。
【００１４】
以上、本発明の実施の形態について説明したが、本発明は上述した実施の形態に限定される意図はなく、本発明の趣旨に沿った形態のレンチホルダーであれば、どのようなものでもよい。
【００１５】
【発明の効果】
請求項１の発明によれば、異なる断面の逆Ｌ字型六角レンチをクランプ・伸張させることが出来、実用上、多大な効果を奏する。
【図面の簡単な説明】
【図１】本発明にかかるレンチホルダーの本体部の平面図である。
【図２】本発明にかかるレンチホルダーの使用時の説明図である。
【図３】逆Ｌ型レンチの作用部本発明にかかるレンチホルダーの押さえ体の軸方向の側面図である。
【図４】図３に示す押さえ体の径方向断面図である。
【符号の説明】
１０・・・レンチホルダー
２０・・・本体部
３０・・・開口部
４０・・・逆Ｌ型レンチ
４２・・・逆Ｌ型レンチの作用部
４４・・・逆Ｌ型レンチの基部
【図１】
2005001094.tif 000003
【図２】
2005001094.tif 000004
【図３】
2005001094.tif 000005
【図４】
2005001094.tif 000006